(57)【要約】【課題】一つの駆動機構で部分断截と全断截を行う簡単な構成の断截装置を提供する。【解決手段】基準位置である待機状態から回転部材３７を時計回り方向に回転させ、スイッチ３９ａ及び３９ｂが［ＯＮ、ＯＦＦ］から［ＯＦＦ、ＯＦＦ］となったところで停止させる。回転部材３７のピン３８が左斜め上方向に移動し長孔３６を介して回動部材３３を支持軸３５を支点にして左方に回動させ、その長孔３４がピン２３を介して移動部材２２を左方に押し、その押え部２７が、押切り刃２９の突き当て部２８ａ及び２８ｂに突き当たると共にその窓部２１に挿通された印刷済みテープ１９を押切り刃２９の突き当て部２８ａ、２８ｂと刃部３１との段差部内に押し込み刃部３１との当接面側を部分断截する。回転部材３７を反時計回り方向に回転させたときは可動剪断刃２６と固定剪断刃３２が摺接して印刷済みテープ１９を全切断する。【選択図】  図１
2004268222.tif 000002
【特許請求の範囲】
【請求項１】
窓部を有して第１の方向及び該第１の方向と逆の第２の方向に移動可能な移動部材と、
該移動部材の前記窓部において前記第１の方向側の縁部に形成された可動剪断刃と前記第２の方向側の縁部に窓面と直角に立設された押え部と、
該押え部と対向する位置に固定して配置され前記移動部材が前記第１の方向に移動したとき前記押え部に当接する突き当て部を介して前記押え部により押圧される押切り刃と、
前記移動部材が前記第２の方向に移動したとき前記可動剪断刃と剪断摺接が可能な位置に固定された固定剪断刃と、
前記移動部材を前記第１の方向及び前記第２の方向へ移動させる駆動手段と、
を有し、
該駆動手段により前記移動部材を前記第１の方向に移動させることにより前記押え部と前記押切り刃との間で前記窓部に挿通されている被断截部材を厚さ方向に所定の位置まで部分断截し、前記駆動手段により前記移動部材を第２の方向に移動させることにより前記可動剪断刃と固定剪断刃とにより前記窓部に挿通されている前記被被断截部材を切断することを特徴とする断截装置。
【請求項２】
前記押切り刃は、前記被断截部材の切り残し厚さに対応する前記押え部への付き当て部を少なくとも二箇所に備えていることを特徴とする請求項１記載の断截装置。
【請求項３】
前記被断截部材は、剥離紙と接着剤付きテープからなる印字テープであり、前記押え部と前記押切り刃とにより前記剥離紙部分のみ又は前記接着剤付きテープ部分のみを断截されることを特徴とする請求項１又は２記載の断截装置。
【発明の詳細な説明】
【０００１】
【発明の属する技術分野】
本発明は、被断截部材を厚さ方向に所定の位置まで部分断截することと全部を切断することの両方を一つの駆動機構によって行う断截装置に関する。
【０００２】
【従来の技術】
従来より、キー入力された文字やメモリから呼び出された画像などをテープ状の印刷媒体（印刷用テープ）に印刷するテーププリンタが個人用または事務用として広く使用されている（例えば、特許文献１参照。）。
【０００３】
図４（ａ）  は、そのテーププリンタの構成を示す部分正面図であり、同図（ｂ）  はその印刷用テープの構成を分かりやすく簡略に示す断面図である。同図（ａ），（ｂ）  において、テーププリンタ１のテープカセット収容部２にはテープカセット３が収容されている。テープカセット３には印刷用テープ３′とインクリボン４が収容されている。
【０００４】
テープカセット３から引き出されて印刷用テープ３′は、プラテンローラ５と発熱ヘッド６によりインクリボン４のインクを、接着剤４ｂ付きのテープ４ａの表面に溶融転写又は昇華転写されて所定の印刷が施される。そして、使用済みインクリボン４はテープカセット３内の巻き取りリールに巻き取られ、テープ４ａの表面に印刷を施された印刷済みテープ４′が、搬送ローラ７によって、テープ排出口８から外部に排出される。
【０００５】
このテープ排出口８には、内部手前側（図４（ａ）の左側）に固定押し当て部９ａと回動刃９ｂから成るハーフカッター部９と、固定刃１１ａと回動刃１１ｂから成るフルカッター部１１とを備えている。上記のハーフカッター部９では印刷済みテープ４′の厚さＴ１の部分のみの部分断截が行われ、フルカッター部１１で印刷済みテープ４′の厚さＴ１＋Ｔ２の部分、すなわち全部の切断が行われる。
【０００６】
これにより、テープ排出口８から外部に排出された印刷済みテープ４′は、部分断截部分を折り曲げることで接着剤４ｂ付きのテープ４ａを剥離紙４ｃから容易に剥離させることができる。この後、接着剤４ｂによりテープ４ａを所望の貼着部に貼り付ける。
【０００７】
図５（ａ），（ｂ）  は、上記のハーフカッター部９の動作状態を説明する図であり、図４（ａ）  のＡ矢視図である。図５（ａ）  に示すように、ハーフカッター部９の固定押し当て部９ａは、受け部１２（１２ａ、１２ｂ）と、これらの受け部１２より内側（図では左方）に切り込まれた段差部１３とを備えている。この段差部に印刷済みテープ４′が配置される。
【０００８】
固定押し当て部９ａには、カシメピン１４によって回動刃９ｂが係合する。回動刃９ｂは、保持部１５と、この保持部１５にスポット溶接部１６で固定保持された押切り刃１７とから構成されている。保持部１５の回動自由端側（図の上端側）の押し当て部９ａの受け部１２ａとの対向部には足部１５ａが設けられている。
【０００９】
回動刃９ｂがカシメピン１４を支点にして反時計回り方向に回動して、図５（ｂ）  に示すように、押切り刃１７を押し当て部９ａに向けて閉じると、押し当て部９ａの受け部１２ａに回動刃９ｂの足部１５ａが当接したところで押切り刃１７が停止する。
【００１０】
これにより、同図（ａ）  に示す印刷済みテープ４′は、押し当て部９ａの段差部１３の高さに対応する厚さ部分を残して、残る押切り刃１７側の厚さ部分が断截される。この後、図４で説明したように、フルカッター部１１で切り出される。
【００１１】
【特許文献１】
特開平２０００−６７４２号公報（段落［００２５］〜［００２９］、図２〜図５）
【００１２】
【発明が解決しようとする課題】
ところで、上記の特許文献１の構成は、ハーフカッター部９とフルカッター部１１の構成に共に２つの回動機構による回動刃を用い、これら２つの回動機構をそれぞれ駆動するために、ハーフカット用モータとフルカット用モータの２つのモータを用いている。
【００１３】
このようにハーフカット用とフルカット用の２つの回動機構とそれぞれを駆動するためにハーフカット用とフルカット用に２つのモータを用いているので、全体の構成が大型化し、近年の情報周辺機器の小型化の潮流に逆行するだけでなく、生産コストも上昇するという問題が残るものであった。
【００１４】
本発明の課題は、上記従来の実情に鑑み、一つのモータと一つの回動部材から成る一つの駆動機構で部分断截と全断截を行う簡単な構成の断截装置を提供することである。
【００１５】
【課題を解決するための手段】
先ず、請求項１記載の発明の断截装置は、窓部を有して第１の方向及び該第１の方向と逆の第２の方向に移動可能な移動部材と、該移動部材の上記窓部において上記第１の方向側の縁部に形成された可動剪断刃と上記第２の方向側の縁部に窓面と直角に立設された押え部と、該押え部と対向する位置に固定して配置され上記移動部材が上記第１の方向に移動したとき上記押え部に当接する突き当て部を介して上記押え部により押圧される押切り刃と、上記移動部材が上記第２の方向に移動したとき上記可動剪断刃と剪断摺接が可能な位置に固定された固定剪断刃と、上記移動部材を上記第１の方向及び上記第２の方向へ移動させる駆動手段と、を有し、該駆動手段により上記移動部材を上記第１の方向に移動させることにより上記押え部と上記押切り刃との間で上記窓部に挿通されている被断截部材を厚さ方向に所定の位置まで部分断截し、上記駆動手段により上記移動部材を第２の方向に移動させることにより上記可動剪断刃と固定剪断刃とにより上記窓部に挿通されている上記被被断截部材を切断するように構成される。
【００１６】
上記押切り刃は、例えば請求項２記載のように、上記被断截部材の切り残し厚さに対応する上記押え部への付き当て部を少なくとも二箇所に備えて構成される。また、上記被断截部材は、例えば請求項３記載のように、剥離紙と接着剤付きテープからなる印字テープであり、上記押え部と上記押切り刃とにより上記剥離紙部分のみ又は上記接着剤付きテープ部分のみを断截されるように構成される。
【００１７】
【発明の実施の形態】
以下、本発明の実施の形態を図面を参照しながら説明する。
図１（ａ）  は、一実施の形態における断截装置の上面図であり、同図（ｂ）  はその正面図である。尚、同図（ａ）  には、断截装置全体を支持するフレーム１８を実線で示し、印刷済みテープ１９を二点鎖線で示しているが、同図（ｂ）  には、構成を分かり易く示すためフレーム１８と印刷済みテープ１９の図示を省略している。
【００１８】
図１（ａ），（ｂ）  に示すように、この断截装置２０は、先ず、窓部２１を有する移動部材２２を備えている。移動部材２２は、図の右端ほぼ中央部に、正面前方（同図（ｂ）  の紙面奥行き方向手前）に突設されたピン２３を備え、このピンと一体同軸に後方に突設されたピン２４及びこのピン２４に係止する横長の長方形ボス２５（同図（ａ）  参照）を備えている。長方形ボス２５は、フレーム１８の図では定かに見えない横長の溝に摺動自在に嵌入しており、これにより、移動部材２２は、図の両方向矢印Ｂで示すように、第１の方向（本例では図の左方とする）及びこの第１の方向と逆の第２の方向（つまり図の右方となる）に移動可能に構成されている。
【００１９】
この移動部材２２の窓部２１には、第１の方向側の縁部に大きな末広がり状のＶ字型の可動剪断刃２６が形成されており、第２の方向側の縁部には窓面と直角に立設された押え部２７が形成されている。
そして、移動部材２２の第１の方向（図の左方）には、押え部２７に対向する位置に、押え部２７方向に突設する突き当て部２８ａ及び２８ｂを両端部に備えた押切り刃２９がフレーム１８に固定して配置されている。この押切り刃２９には、突き当て部２８ａ及び２８ｂの突端から所定の段差を持った刃部３１が形成されている。押切り刃２９は、移動部材２２が第１の方向に移動したとき、押え部２７に当接する突き当て部２８ａ及び２８ｂを介して押え部２７により左方に押圧される。
【００２０】
また、上記の押切り刃２９とは移動部材２２を挟んで反対側に、移動部材２２に接し、フレーム１８に固定されて、固定剪断刃３２が配置されている。この固定剪断刃３２は、移動部材２２が第２の方向（図の右方）に移動したとき、その可動剪断刃２６と剪断摺接が可能な位置に配置されている。
【００２１】
移動部材２２の右端部ほぼ中央部の上述したピン２３に、回動部材３３の縦長な長孔３４が滑動自在に係合している。長孔３４とピン２３は、この断截装置２０が待機状態にある同図（ｂ）  に示す基準位置では、長孔３４のほぼ中央部で係合している。
【００２２】
回動部材３３は、上端部を支持軸３５により支持され、この支持軸３５を支点にして、図の両方向矢印Ｃで示すように左右に回動可能に構成されている。上記の長孔３４は、この回動部材３３のほぼ中央部の移動部材２２寄りの位置に穿設されている。また、回動部材３３の上記長孔３４とは反対側端部つまり図の右方側端部の下端にはこれも縦長な長孔３６が穿設されており、この長孔３６に、回転部材３７のピン３８が滑動自在に嵌入している。
【００２３】
ピン３８は回転部材３７の中心よりも外側にずれた位置に設けられており、装置全体が同図（ｂ）  に示す基準位置にあるときは、ピン３８は回転部材３７の回転下端部に位置し且つ長孔３６ほぼ下端部に位置している。
回転部材３７は、回転周面に沿って段差を二箇所に形成されてカムを形成している。そのカムの周面に当接して、２個のスイッチ３９ａ及び３９ｂが配置されている。２個のスイッチ３９ａ、３９ｂは、回転部材３７の回転周面であるカム部の凸部に一方（又は他方）のスイッチピンが乗り上げて押し込まれてスイッチが閉（オン）になっているときと、他方（又は一方）のスイッチピンがカム部の凹部に対向してスイッチが開（オフ）になっているとときで２通りの状態、及び両方のスイッチピンがカム部の凸部に乗り上げて押し込まれてスイッチが閉になっているときと、両方のスイッチピンがカム部の凹部に対向してスイッチが開になっているときとで２通りの状態、合わせて４通りの回転部材３７の回転位置を検出可能である。
【００２４】
図２及び図３は、この断截装置２０の動作状態を説明する図である。尚、両図ともに上に上面図を示し、下に正面図を示している。また、これらの図の場合も、上面図には断截装置全体を支持するフレーム１８を実線で示し、印刷済みテープ１９を二点鎖線で示し、正面図には、フレーム１８と印刷済みテープ１９の図示を省略している。
【００２５】
以下、図１も参照しながら図２及び図３を用いて断截装置２０の動作を説明する。尚、回転部材３７を順逆両方向に回転させる駆動モータについては図示を省略している。また、スイッチ３９ａ及び３９ｂのＯＮ／ＯＦＦ状態を検出して駆動モータの回転を制御する制御装置についても図示を省略している。
【００２６】
先ず、図１に示すように、待機状態では、スイッチ３９ａ及び３９ｂは、［ＯＮ、ＯＦＦ］の状態にある。ここで回転部材３７を時計回り方向に回転させる。これにより、回転部材３７のピン３８が回動部材３３の長孔３６に摺接しながら左斜め上方向に移動する。スイッチ３９ａ及び３９ｂが、［ＯＮ、ＯＮ］、［ＯＦＦ、ＯＮ］と変化し、更に図２に示すように、［ＯＦＦ、ＯＦＦ］の状態となったところで回転部材３７の回転を停止させる。
【００２７】
これにより、回動部材３３は、自己の長孔３６を介して回転部材３７のピン３８により左方に押し込まれ、支持軸３５を支点にして左方に回動する。また、これにより、移動部材２２は、自己のピン２３を介して回動部材３３の長孔３４により左方に押し出され、その押え部２７が、押切り刃２９の突き当て部２８ａ及び２８ｂに突き当たるまで刃部３１方向へ押し込まれる。
【００２８】
これにより、移動部材２２の窓部２１に挿通されていた印刷済みテープ１９は、押切り刃２９の突き当て部２８ａ及び２８ｂと刃部３１との段差部内に追い込まれる。押切り刃２９の突き当て部２８ａ及び２８ｂと刃部３１との段差部の深さ（高さ）は、印刷済みテープ１９全体の厚さから部分断截されるべき部分断截面１９ａ側の厚さを除いた厚さに対応して形成されている。
【００２９】
換言すれば、印刷済みテープ１９は、段差部の深さよりも部分断截面１９ａの厚さ分だけ厚く形成されている。
これにより、上記のように押え部２７が、押切り刃２９の突き当て部２８ａ及び２８ｂに突き当たるまで刃部３１方向へ移動して印刷済みテープ１９が刃部３１方向へ押し込まれると、段差部の深さよりも部分断截面１９ａの厚さ分だけ厚く形成されている印刷済みテープ１９が部分断截面１９ａ側の厚さ分だけ更に刃部３１方向に押し込まれ、刃部３１に当接する部分断截面１９ａ側が刃部３１によって断截される。すなわち、印刷済みテープ１９の部分断截が完了する。
【００３０】
上記の印刷済みテープ１９の部分断截面１９ａ側は、例えば接着剤付き印字テープ部分であり、非部分断截面１９ｂ側は、例えば剥離紙である。もちろん、この逆の構成であってもよい。
この状態から図１の待機状態に戻り、上記部分断截された印刷済みテープ１９が、切り離し位置まで更に窓部２１に押し出される。ここで回転部材３７を反時計回り方向に回転させる。これにより回転部材３７のピン３８は回動部材３３の長孔３６に摺接しながら右斜め上方向に移動する。スイッチ３９ａ及び３９ｂが［ＯＮ、ＯＦＦ］、［ＯＦＦ、ＯＦＦ］と変化し、更に、図３に示すように［ＯＦＦ、ＯＮ］の状態になったところで回転部材３７を停止させる。
【００３１】
これにより、回動部材３３は、自己の長孔３６を介して回転部材３７のピン３８により右方に引き出され、支持軸３５を支点にして右方に回動する。また、これにより、移動部材２２は、自己のピン２３を介して回動部材３３の長孔３４により右方に引き出され、その可動剪断刃２６が固定剪断刃３２と摺接する。
【００３２】
これにより、移動部材２２の窓部２１に挿通されていた印刷済みテープ１９に対する可動剪断刃２６と固定剪断刃３２による剪断が、Ｖ字型に傾斜を設けて形成された可動剪断刃２６の両端部から、すなわち印刷済みテープ１９の幅方向の両端から開始され中央に収束して、印刷済みテープ１９が所定の切り離し位置で切断される。
【００３３】
切り離し後の印刷済みテープ１９の一方の面には、端部近傍に部分断截による切り込みが形成されているので、この部分を折り曲げて、剥離紙と接着剤付き印字テープとを容易に引き剥がすことができる。
尚、上記実施の形態では、テーププリンタの印刷済みテープの断截を例にとって説明したが、これに限ることなく、本発明による断截装置は、部分断截と全断截の両方を行う必要のある被断截部材であれば、どのようなものにも適用可能である。
【００３４】
【発明の効果】
以上説明したように、本発明によれば、被断截部材を厚さ方向に所定の位置まで部分断截することと全部を断截して切り離すことの両方を一つの駆動機構によって行うので、製造コストの低減と装置の小型化に貢献する。
【００３５】
また、回動機構も一つしか用いていないので、この面からも製造コストの低減と装置の小型化に貢献する。
【図面の簡単な説明】
【図１】（ａ）  は一実施の形態における断截装置の上面図、（ｂ）  はその正面図である。
【図２】一実施の形態における断截装置の部分断截の動作状態を説明する図である。
【図３】一実施の形態における断截装置の全断截の動作状態を説明する図である。
【図４】（ａ）  は従来のテーププリンタの構成を示す部分正面図、（ｂ）  はその印刷用テープの構成を分かりやすく簡略に示す断面図である。
【図５】（ａ），（ｂ）  は従来のテーププリンタのハーフカッター部の動作状態を説明する図である。
【符号の説明】
１    テーププリンタ
２    テープカセット収容部
３    テープカセット
３′    印刷用テープ
４  インクリボン
４′    印刷済みテープ
４ａ  テープ
４ｂ  接着剤
４ｃ  剥離紙
５    プラテンローラ
６    発熱ヘッド
７    搬送ローラ
８    テープ排出口
９    ハーフカッター部
９ａ  固定押し当て部
９ｂ  回動刃
１１  フルカッター部
１１ａ  固定刃
１１ｂ  回動刃
１２（１２ａ、１２ｂ）  受け部
１３  段差部
１４  カシメピン
１５  保持部
１５ａ  足部
１６  スポット溶接部
１７  押切り刃
１８  フレーム
１９  印刷済みテープ
１９ａ  部分断截面
１９ｂ  非部分断截面
２０  断截装置
２１  窓部
２２  移動部材
２３、２４ピン
２５  長方形ボス
２６  可動剪断刃
２７  押え部
２８ａ、２８ｂ  突き当て部
２９  押切り刃
３１  刃部
３２  固定剪断刃
３３  回動部材
３４  長孔
３５  支持軸
３６  長孔
３７  回転部材
３８  ピン
３９ａ、３９ｂ  スイッチ
【図１】
2004268222.tif 000003
【図２】
2004268222.tif 000004
【図３】
2004268222.tif 000005
【図４】
2004268222.tif 000006
【図５】
2004268222.tif 000007